(57)【要約】  蓄電装置（１０）は、第一方向に並び、かつ、第一方向と交差する第二方向側に電極端子（１２０を）有する複数の蓄電素子（１００）と、複数の蓄電素子（１００）の、第一方向及び第二方向と交差する第三方向側に配置されるサイド部材（７００）と、を備え、サイド部材（７００）は、第三方向とは反対側に突出し、蓄電素子（１００）の第二方向側、かつ、蓄電素子（１００）が有する電極端子（１２０）の第一方向側に配置されるサイド部材突出部（７２１）を有する。
2020137411.tif 000002
【特許請求の範囲】
【請求項１】
第一方向に並び、かつ、前記第一方向と交差する第二方向の一方側に電極端子を有する複数の蓄電素子と、
前記第一方向及び前記第二方向と交差する第三方向において前記複数の蓄電素子の側方に配置されるサイド部材と、を備え、
前記サイド部材は、前記第三方向とは反対方向に突出し、前記複数の蓄電素子のうちの第一蓄電素子の前記第二方向の前記一方側、かつ、前記第一蓄電素子が有する電極端子の前記第一方向の一方側に配置される第一突出部を有する
蓄電装置。
【請求項２】
前記サイド部材は、さらに、前記第三方向とは反対方向に突出し、前記第一蓄電素子の前記第二方向の前記一方側、かつ、前記第一蓄電素子が有する電極端子の前記第一方向の他方側に配置される第二突出部を有する
請求項１に記載の蓄電装置。
【請求項３】
前記複数の蓄電素子は、さらに、前記第一方向において前記第一蓄電素子と隣り合う第二蓄電素子を有し、
前記第一突出部は、前記第二方向視で、前記第一蓄電素子及び前記第二蓄電素子に跨って配置される
請求項１または２に記載の蓄電装置。
【請求項４】
さらに、前記第一蓄電素子と前記第一突出部との間に配置される絶縁部材を備える
請求項１〜３のいずれか１項に記載の蓄電装置。
【請求項５】
前記複数の蓄電素子と前記サイド部材との間に配置される絶縁プレートを備え、
前記絶縁部材は、前記絶縁プレートに設けられる
請求項４に記載の蓄電装置。
【請求項６】
前記第一突出部は、前記絶縁部材に形成された凹部内に配置される
請求項４または５に記載の蓄電装置。
【発明の詳細な説明】
【技術分野】
【０００１】
本発明は、複数の蓄電素子と、当該複数の蓄電素子の側方に配置されるサイド部材とを備える蓄電装置に関する。
【背景技術】
【０００２】
従来、複数の蓄電素子と、当該複数の蓄電素子の側方に配置されるサイド部材とを備える蓄電装置が広く知られている。特許文献１には、複数の電池セル（蓄電素子）とサイドプレート（サイド部材）とを備え、サイドプレートは、電池セルの端子面と対向する弾性部を有し、弾性部は、弾性部と電池セルとの間の絶縁部を押圧する構成の電源装置（蓄電装置）が開示されている。
【先行技術文献】
【特許文献】
【０００３】
【特許文献１】国際公開第２０１７／１６３６９６号
【発明の概要】
【発明が解決しようとする課題】
【０００４】
上記従来のような構成の蓄電装置では、蓄電素子の移動をサイド部材で規制するためのスペースが十分に確保できない。【０００５】
本発明は、容易に、蓄電素子の移動を規制できる蓄電装置を提供することを目的とする。
【課題を解決するための手段】
【０００６】
本発明の一態様に係る蓄電装置は、第一方向に並び、かつ、前記第一方向と交差する第二方向の一方側に電極端子を有する複数の蓄電素子と、前記第一方向及び前記第二方向と交差する第三方向において前記複数の蓄電素子の側方に配置されるサイド部材と、を備え、前記サイド部材は、前記第三方向とは反対方向に突出し、前記複数の蓄電素子のうちの第一蓄電素子の前記第二方向の前記一方側、かつ、前記第一蓄電素子が有する電極端子の前記第一方向の一方側に配置される第一突出部を有する。【０００７】
本発明は、このような蓄電装置として実現できるだけでなく、当該蓄電装置が備えるサイド部材及び絶縁プレートとしても実現できる。
【発明の効果】
【０００８】
本発明における蓄電装置によれば、容易に、蓄電素子の移動を規制できる。
【図面の簡単な説明】
【０００９】
【図１】図１は、実施の形態に係る蓄電装置の外観を示す斜視図である。
【図２】図２は、実施の形態に係る蓄電装置を分解した場合の各構成要素を示す分解斜視図である。
【図３】図３は、実施の形態に係る蓄電素子の構成を示す斜視図である。
【図４】図４は、実施の形態に係る絶縁プレートの構成を示す斜視図である。
【図５】図５は、実施の形態に係るサイド部材の構成を示す斜視図である。
【図６】図６は、実施の形態に係る絶縁プレート及びサイド部材の配置位置を示す斜視図である。
【図７】図７は、実施の形態に係る絶縁プレート及びサイド部材の配置位置を示す平面図である。
【発明を実施するための形態】
【００１０】
上記特許文献１に開示されたような従来の蓄電装置においては、蓄電素子の容器の電極端子よりも外側をサイド部材で押圧することで、蓄電素子の移動を規制している。電極端子が容器の端部に配置されているような構成では、容器の電極端子よりも外側に、サイド部材を配置するスペースがない場合がある。電極端子が容器の端部には配置されていなくても、容器の電極端子よりも外側にサイド部材を配置するスペースが十分に確保できない場合や、設計の都合等により、容器の電極端子よりも外側にサイド部材を配置したくない場合もある。このように、上記従来のような構成の蓄電装置では、蓄電素子の移動をサイド部材で規制するためのスペースが十分に確保できないために、蓄電素子の移動を規制するのが困難になる場合がある。
【００１１】
本発明の一態様に係る蓄電装置は、第一方向に並び、かつ、前記第一方向と交差する第二方向の一方側に電極端子を有する複数の蓄電素子と、前記第一方向及び前記第二方向と交差する第三方向において前記複数の蓄電素子の側方に配置されるサイド部材と、を備え、前記サイド部材は、前記第三方向とは反対方向に突出し、前記複数の蓄電素子のうちの第一蓄電素子の前記第二方向の前記一方側、かつ、前記第一蓄電素子が有する電極端子の前記第一方向の一方側に配置される第一突出部を有する。
【００１２】
これによれば、蓄電装置は、第一方向に並ぶ複数の蓄電素子と、複数の蓄電素子の第三方向側に配置されるサイド部材と、を備えており、サイド部材は、第三方向とは反対側に突出し、第一蓄電素子が有する電極端子の第一方向側に配置される第一突出部を有している。このように、サイド部材の第一突出部を、当該電極端子の第一方向側に配置することで、サイド部材を当該電極端子の第三方向側に配置することなく、第一蓄電素子の移動を規制できる。これにより、容易に、第一蓄電素子の移動を規制できる。
【００１３】
前記サイド部材は、さらに、前記第三方向とは反対方向に突出し、前記第一蓄電素子の前記第二方向の前記一方側、かつ、前記第一蓄電素子が有する電極端子の前記第一方向の他方側に配置される第二突出部を有することにしてもよい。
【００１４】
これによれば、サイド部材は、第三方向とは反対側に突出し、第一蓄電素子が有する電極端子の第一方向とは反対側に配置される第二突出部を有している。このように、サイド部材の第二突出部を、当該電極端子の第一方向とは反対側に配置することで、当該電極端子の第一方向の両側において、第一蓄電素子の移動を規制できる。これにより、容易に、第一蓄電素子の移動を安定的に規制できる。
【００１５】
前記複数の蓄電素子は、さらに、前記第一方向において前記第一蓄電素子と隣り合う第二蓄電素子を有し、前記第一突出部は、前記第二方向視で、前記第一蓄電素子及び前記第二蓄電素子に跨って配置されてもよい。
【００１６】
これによれば、サイド部材の第一突出部は、第一蓄電素子及び第二蓄電素子に跨って配置されている。このように、サイド部材の第一突出部が、２つの蓄電素子に跨って配置されることで、１つの突出部で２つの蓄電素子の移動を規制できる。これにより、容易に、２つの蓄電素子の移動を規制できる。
【００１７】
さらに、前記第一蓄電素子と前記第一突出部との間に配置される絶縁部材を備えることにしてもよい。
【００１８】
これによれば、第一蓄電素子とサイド部材の第一突出部との間には、絶縁部材が配置されている。これにより、第一突出部が導電性の部材の場合でも、第一蓄電素子と第一突出部との絶縁性を確保できる。このように、絶縁性を確保した状態で、容易に、第一蓄電素子の移動を規制できる。
【００１９】
前記複数の蓄電素子と前記サイド部材との間に配置される絶縁プレートを備え、前記絶縁部材は、前記絶縁プレートに設けられてもよい。
【００２０】
これによれば、第一蓄電素子とサイド部材の第一突出部との間に配置される絶縁部材は、複数の蓄電素子とサイド部材との間に配置される絶縁プレートに設けられている。つまり、複数の蓄電素子とサイド部材との間の絶縁性を確保するために、複数の蓄電素子とサイド部材との間に絶縁プレートを配置し、絶縁プレートに、当該絶縁部材を形成する。これにより、当該絶縁部材を容易に形成できるため、容易に、第一蓄電素子と第一突出部との間の絶縁性を確保しつつ、第一蓄電素子の移動を規制できる。
【００２１】
前記第一突出部は、前記絶縁部材に形成された凹部内に配置されてもよい。
【００２２】
これによれば、サイド部材の第一突出部は、上記絶縁部材に形成された凹部内に配置されている。このように、第一突出部を当該絶縁部材の凹部内に配置することで、第一突出部の移動を規制できる。これにより、第一蓄電素子の移動を規制する第一突出部が、移動を規制されることで、第一蓄電素子の移動をより規制できる。
【００２３】
以下、図面を参照しながら、本発明の実施の形態（及びその変形例）に係る蓄電装置について説明する。以下で説明する実施の形態は、包括的または具体的な例を示すものである。以下の実施の形態で示される数値、形状、材料、構成要素、構成要素の配置位置及び接続形態、製造工程、製造工程の順序などは、一例であり、本発明を限定する主旨ではない。以下の実施の形態における構成要素のうち、最上位概念を示す独立請求項に記載されていない構成要素については、任意の構成要素として説明される。各図において、寸法等は厳密に図示したものではない。
【００２４】
以下の説明及び図面中において、蓄電素子の並び方向、スペーサ（中間スペーサ、エンドスペーサ）の並び方向、エンド部材（エンドプレート）の並び方向、蓄電素子とスペーサとエンド部材との並び方向、１つの蓄電素子の容器における一対の長側面の対向方向、または、蓄電素子、スペーサ若しくはエンド部材の厚み方向をＸ軸方向と定義する。蓄電素子の容器本体と蓋との並び方向、または、蓄電素子とバスバーとの並び方向をＹ軸方向と定義する。１つの蓄電素子における一対の電極端子の並び方向、１つの蓄電素子の容器における一対の短側面の対向方向、サイド部材（サイドプレート）の並び方向、絶縁プレートの並び方向、サイド部材と絶縁プレートとの並び方向、または、上下方向をＺ軸方向と定義する。これらＸ軸方向、Ｙ軸方向及びＺ軸方向は、互いに交差（本実施の形態では直交）する方向である。使用態様によってはＺ軸方向が上下方向にならない場合も考えられるが、以下では説明の便宜のため、Ｚ軸方向を上下方向として説明する。以下の説明において、Ｘ軸プラス方向とは、Ｘ軸の矢印方向を示し、Ｘ軸マイナス方向とは、Ｘ軸プラス方向とは反対方向を示す。Ｙ軸方向及びＺ軸方向についても同様である。
【００２５】
（実施の形態）
［１  蓄電装置１０の全般的な説明］
まず、蓄電装置１０の構成について、説明する。図１は、本実施の形態に係る蓄電装置１０の外観を示す斜視図である。図２は、本実施の形態に係る蓄電装置１０を分解した場合の各構成要素を示す分解斜視図である。
【００２６】
蓄電装置１０は、外部からの電気を充電し、また外部へ電気を放電できる装置であり、本実施の形態では、略直方体形状を有している。蓄電装置１０は、電力貯蔵用途や電源用途などに使用される電池モジュール（組電池）である。具体的には、蓄電装置１０は、電気自動車（ＥＶ）、ハイブリッド電気自動車（ＨＥＶ）若しくはプラグインハイブリッド電気自動車（ＰＨＥＶ）等の自動車、自動二輪車、ウォータークラフト、スノーモービル、農業機械、建設機械、または、電車、モノレール若しくはリニアモーターカー等の電気鉄道用の鉄道車両等の移動体の駆動用若しくはエンジン始動用、または、家庭用若しくは発電機用に使用される定置用のバッテリ等として用いられる。
【００２７】
図１及び図２に示すように、蓄電装置１０は、複数（本実施の形態では１６個）の蓄電素子１００と、複数（本実施の形態では１５個）の中間スペーサ２００と、一対のエンドスペーサ３００と、一対のエンド部材４００と、一対の絶縁プレート６００と、一対のサイド部材７００と、バスバー８００と、を備えている。隣り合う蓄電素子１００同士の間には接着層５１０が配置され、蓄電素子１００とエンドスペーサ３００との間には接着層５２０が配置され、蓄電素子１００と絶縁プレート６００との間には接着層５３０が配置されている。また、エンドスペーサ３００には、蓄電装置１０の端子である一対の外部端子９１０（正極外部端子及び負極外部端子）が配置されている。蓄電装置１０は、バスバー８００を保持するバスバーフレーム、蓄電素子１００の電圧計測用の配線、温度計測用の配線、サーミスタ、蓄電素子１００の充電状態または放電状態を監視するための回路基板やリレー等の電気機器等も備えていてもよい。
【００２８】
蓄電素子１００は、電気を充電し、また電気を放電できる二次電池（単電池）であり、より具体的には、リチウムイオン二次電池などの非水電解質二次電池である。蓄電素子１００は、扁平な直方体形状（角形）の形状を有しており、長側面がＸ軸方向に向き、かつ、電極端子がＹ軸プラス方向に向くように横倒しされた状態で、Ｘ軸方向に並べられて配置されている。蓄電素子１００は、中間スペーサ２００またはエンドスペーサ３００に隣接して配置されている。つまり、複数の蓄電素子１００のそれぞれは、複数の中間スペーサ２００及び一対のエンドスペーサ３００のそれぞれと交互に配置され、Ｘ軸方向に並べられている。本実施の形態では、１６個の蓄電素子１００のうちの隣り合う蓄電素子１００同士の間に１５個の中間スペーサ２００がそれぞれ配置され、１６個の蓄電素子１００のうちの端部の蓄電素子１００を挟む位置に一対のエンドスペーサ３００が配置されている。この蓄電素子１００の構成の詳細な説明については、後述する。
【００２９】
蓄電素子１００の個数は、特に限定されず、１６個以外の複数個であってもよい。蓄電素子１００の形状は、特に限定されず、直方体形状以外の多角柱形状、円柱形状、楕円柱形状、長円形柱形状等、どのような形状であってもよいし、ラミネート型の蓄電素子とすることもできる。蓄電素子１００は、非水電解質二次電池には限定されず、非水電解質二次電池以外の二次電池であってもよいし、キャパシタであってもよい。蓄電素子１００は、二次電池ではなく、使用者が充電をしなくても蓄えられている電気を使用できる一次電池であってもよい。蓄電素子１００は、固体電解質を用いた電池であってもよい。
【００３０】
中間スペーサ２００及びエンドスペーサ３００は、蓄電素子１００の側方（Ｘ軸プラス方向またはＸ軸マイナス方向）に配置されて、蓄電素子１００と他の部材とを絶縁するとともに、蓄電素子１００が膨れるのを抑制するスペーサである。中間スペーサ２００及びエンドスペーサ３００は、ポリカーボネート（ＰＣ）、ポリプロピレン（ＰＰ）、ポリエチレン（ＰＥ）、ポリフェニレンサルファイド樹脂（ＰＰＳ）、ポリエチレンテレフタラート（ＰＥＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリブチレンテレフタレート（ＰＢＴ）、ポリエーテルサルフォン（ＰＥＳ）、ＡＢＳ樹脂、及びそれらの複合材料等の絶縁性の樹脂材料等で形成されている。中間スペーサ２００及びエンドスペーサ３００は、絶縁性を有するものであれば樹脂以外の材料で形成されていてもよく、セラミック、または、マイカ片を集積し結合することで構成されるダンマ材によって形成されたマイカ板等で形成されていてもよい。複数の中間スペーサ２００及び一対のエンドスペーサ３００の全てが同じ材質の材料で形成されていなくてもよい。
【００３１】
中間スペーサ２００は、隣り合う２つの蓄電素子１００の間において、蓄電素子１００のＹ軸方向中央位置に配置された矩形状かつ平板状のスペーサである。中間スペーサ２００のＹ軸方向両側には、両面テープ等の接着層５１０が配置されており、接着層５１０によって、中間スペーサ２００のＸ軸方向両側の蓄電素子１００が接着されている。これにより、中間スペーサ２００は、当該Ｘ軸方向両側の蓄電素子１００に挟まれて、当該Ｘ軸方向両側の蓄電素子１００に対して固定されている。本実施の形態では、１６個の蓄電素子１００に対応して１５個の中間スペーサ２００が配置されているが、蓄電素子１００の個数が１６個以外の場合には、中間スペーサ２００の個数も蓄電素子１００の個数に応じて変更される。
【００３２】
エンドスペーサ３００は、端部の蓄電素子１００とエンド部材４００との間に配置された矩形状かつ板状のスペーサである。エンドスペーサ３００の蓄電素子１００側には、両面テープ等の接着層５２０が配置されており、接着層５２０によって、エンドスペーサ３００と蓄電素子１００とが接着されている。
【００３３】
エンド部材４００及びサイド部材７００は、複数の蓄電素子１００の並び方向（Ｘ軸方向）において、蓄電素子１００を外方から圧迫する部材である。つまり、エンド部材４００及びサイド部材７００は、複数の蓄電素子１００を当該並び方向の両側から挟み込むことで、複数の蓄電素子１００に含まれるそれぞれの蓄電素子１００を当該並び方向の両側から圧迫する。
【００３４】
具体的には、エンド部材４００は、複数の蓄電素子１００のＸ軸方向両側に配置され、複数の蓄電素子１００を、当該複数の蓄電素子１００の並び方向（Ｘ軸方向）の両側から挟み込んで保持する板状のエンドプレート（挟持部材）である。エンド部材４００は、強度確保の観点等から、ステンレス鋼、鉄、メッキ鋼板、アルミニウム、アルミニウム合金等の金属製（導電性）の材料で形成されている。エンド部材４００の材質は特に限定されず、強度の高い絶縁性の材料で形成されていてもよいし、絶縁処理が施されていてもよい。エンド部材４００は、板状のエンドプレートではなく、ブロック状のエンドブロック等であることにしてもよい。
【００３５】
サイド部材７００は、両端がエンド部材４００に取り付けられて、複数の蓄電素子１００を拘束する長尺状かつ板状のサイドプレート（拘束部材、拘束バー）である。つまり、サイド部材７００は、複数の蓄電素子１００、複数の中間スペーサ２００及び一対のエンドスペーサ３００を跨ぐようにＸ軸方向に延設されて配置され、当該複数の蓄電素子１００等に対してこれらの並び方向（Ｘ軸方向）における拘束力を付与する。本実施の形態では、複数の蓄電素子１００のＺ軸方向両側方において、蓄電素子１００とで絶縁プレート６００を挟む位置に、２つのサイド部材７００が配置されている。当該２つのサイド部材７００のそれぞれが、Ｘ軸方向両端部において、２つのエンド部材４００のＺ軸方向端部に取り付けられている。これにより、２つのサイド部材７００は、当該複数の蓄電素子１００等を、Ｘ軸方向の両側及びＺ軸方向の両側から挟み込んで拘束する。
【００３６】
サイド部材７００は、Ｙ軸方向に並ぶ複数のボルト等の固定部材７０１によって、エンド部材４００に対して固定されている。サイド部材７００のエンド部材４００への取り付けは、ボルト等による固定には限定されず、溶接、接着、リベット止めまたはかしめ等で固定（接合）されていてもよい。サイド部材７００は、どのような材質の材料で形成されていてもよいが、強度確保の観点等から、エンド部材４００と同様の材質の材料で形成されている。このサイド部材７００の構成の詳細な説明については、後述する。
【００３７】
絶縁プレート６００は、複数の蓄電素子１００のＺ軸方向両側に配置され、かつ、Ｘ軸方向に延設される長尺状かつ平板状の絶縁部材（インシュレータ）である。つまり、絶縁プレート６００は、複数の蓄電素子１００、複数の中間スペーサ２００及び一対のエンドスペーサ３００を跨ぐように、当該複数の蓄電素子１００等とサイド部材７００との間に配置され、蓄電素子１００とサイド部材７００とを絶縁する。絶縁プレート６００は、サイド部材７００よりも弾性能が高い（ヤング率が低い、または、剛性が低い）部材である。蓄電素子１００と絶縁プレート６００との間には、両面テープ等の接着層５３０が配置されており、接着層５３０によって、蓄電素子１００と絶縁プレート６００とが接着されている。絶縁プレート６００は、絶縁性を有する部材であればどのような材質で形成されていてもよいが、中間スペーサ２００及びエンドスペーサ３００と同様の材質の材料で形成されている。２つの絶縁プレート６００が異なる材質の材料で形成されていてもよい。この絶縁プレート６００の構成の詳細な説明については、後述する。
【００３８】
バスバー８００は、複数の蓄電素子１００上に配置され、複数の蓄電素子１００の電極端子同士を電気的に接続する導電性の板状部材である。本実施の形態では、バスバー８００は、隣り合う蓄電素子１００の正極端子と負極端子とを順に接続することで、複数の蓄電素子１００を直列に接続している。端部に配置されるバスバー８００には、正極側及び負極側の外部端子９１０が接続されている。バスバー８００は、アルミニウム、アルミニウム合金、銅、銅合金等の金属製の導電部材で形成されている。蓄電素子１００の接続形態は特に限定されず、いずれかの蓄電素子１００が並列接続されてもよい。
【００３９】
［２  蓄電素子１００の詳細な説明］
次に、蓄電素子１００の構成について、詳細に説明する。図３は、本実施の形態に係る蓄電素子１００の構成を示す斜視図である。具体的には、図３は、図２における蓄電素子１００から中間スペーサ２００や接着層５１０、５２０、５３０が取り外された状態を拡大して示す斜視図である。図２における１６個の蓄電素子１００は、全て同様の構成を有しているため、以下では、１個の蓄電素子１００について説明する。
【００４０】
図３に示すように、蓄電素子１００は、容器１１０と、一対の電極端子１２０（正極端子及び負極端子）と、一対のガスケット１３０（正極側及び負極側のガスケット）と、を備えている。容器１１０の内方には、電極体、一対の集電体（正極集電体及び負極集電体）、及び、電解液（非水電解質）等が収容されているが、これらの図示は省略する。当該電解液としては、蓄電素子１００の性能を損なうものでなければその種類に特に制限はなく、様々なものを選択できる。容器１１０（後述の蓋体１１２）と集電体との間にもガスケットが配置され、集電体の側方等にはスペーサが配置されているが、これらの図示も省略する。
【００４１】
容器１１０は、開口が形成された容器本体１１１と、容器本体１１１の当該開口を閉塞する蓋体１１２と、容器本体１１１の外面を覆う絶縁シート１１３と、を有する直方体形状（角形）の容器である。容器本体１１１は、容器１１０の本体部を構成する矩形筒状で底を備える部材であり、Ｙ軸プラス方向側に開口が形成されている。蓋体１１２は、容器１１０の蓋部を構成する矩形状の板状部材であり、容器本体１１１のＹ軸プラス方向側にＺ軸方向に延設されて配置されている。蓋体１１２には、容器１１０内方の圧力が上昇した場合に当該圧力を開放するガス排出弁１１２ａ、及び、容器１１０内方に電解液を注液するための注液部（図示せず）等が設けられている。容器本体１１１及び蓋体１１２の材質は、特に限定されないが、ステンレス鋼、アルミニウム、アルミニウム合金、鉄、メッキ鋼板など溶接可能な金属であるのが好ましい。
【００４２】
絶縁シート１１３は、容器本体１１１の外面に配置され、容器本体１１１の外面を覆う絶縁性のシート状部材である。絶縁シート１１３の材質は、蓄電素子１００に必要な絶縁性を確保できるものであれば特に限定されないが、ＰＣ、ＰＰ、ＰＥ、ＰＰＳ、ＰＥＴ、ＰＢＴまたはＡＢＳ樹脂等の絶縁性の樹脂、エポキシ樹脂、カプトン、テフロン（登録商標）、シリコン、ポリイソプレン、及びポリ塩化ビニルなどを例示できる。
【００４３】
このように、容器本体１１１の内方に電極体等が収容され、容器本体１１１と蓋体１１２とが溶接等によって接合されて内部が密封され、容器本体１１１の外面に絶縁シート１１３が配置されて、容器１１０が形成されている。これにより、容器１１０は、Ｘ軸方向両側の側面に一対の長側面部１１０ａを有し、Ｚ軸方向両側の側面に一対の短側面部１１０ｂを有し、Ｙ軸マイナス方向側に底面部１１０ｃを有する構成となっている。長側面部１１０ａは、容器１１０の長側面を形成する矩形状の平面部であり、短側面部１１０ｂは、容器１１０の短側面を形成する矩形状の平面部であり、底面部１１０ｃは、容器１１０の底面を形成する矩形状の平面部である。本実施の形態では、絶縁シート１１３は、一対の長側面部１１０ａ、一対の短側面部１１０ｂ及び底面部１１０ｃの全てに配置されているが、底面部１１０ｃには配置されていない等、いずれかの面部に配置されていない構成でもよい。
【００４４】
電極端子１２０は、蓋体１１２に配置される蓄電素子１００の端子（正極端子及び負極端子）であり、集電体を介して、電極体の正極板及び負極板に電気的に接続されている。つまり、電極端子１２０は、電極体に蓄えられている電気を蓄電素子１００の外部空間に導出し、電極体に電気を蓄えるために蓄電素子１００の内部空間に電気を導入するための金属製の部材である。電極端子１２０は、アルミニウム、アルミニウム合金、銅、銅合金などで形成されている。ガスケット１３０は、電極端子１２０の周囲、かつ、電極端子１２０と蓋体１１２との間に配置され、電極端子１２０と蓋体１１２との間の絶縁性及び気密性を確保するための部材である。ガスケット１３０は、ＰＰ、ＰＥ、ＰＰＳ、ＰＥＴ、ＰＥＥＫ、ＰＦＡ、ＰＴＦＥ、ＰＢＴ、ＰＥＳ、ＡＢＳ樹脂などの絶縁性の材料で形成されている。
【００４５】
電極体は、正極板と負極板とセパレータとが積層されて形成された蓄電要素（発電要素）である。電極体が有する正極板は、アルミニウムまたはアルミニウム合金などの金属からなる長尺帯状の集電箔である正極基材層上に正極活物質層が形成されたものである。負極板は、銅または銅合金などの金属からなる長尺帯状の集電箔である負極基材層上に負極活物質層が形成されたものである。正極活物質層に用いられる正極活物質、負極活物質層に用いられる負極活物質としては、リチウムイオンを吸蔵放出可能なものであれば、適宜公知の材料を使用できる。集電体は、電極端子１２０と電極体とに電気的に接続される導電性と剛性とを備えた部材（正極集電体及び負極集電体）である。正極集電体は、正極板の正極基材層と同様、アルミニウムまたはアルミニウム合金などで形成され、負極集電体は、負極板の負極基材層と同様、銅または銅合金などで形成されている。
【００４６】
［３  絶縁プレート６００の詳細な説明］
次に、絶縁プレート６００の構成について、詳細に説明する。図４は、本実施の形態に係る絶縁プレート６００の構成を示す斜視図である。具体的には、図４の（ａ）は、図２におけるＺ軸プラス方向側の絶縁プレート６００を示す斜視図であり、図４の（ｂ）は、図４の（ａ）の絶縁プレート６００を裏側から見た場合の構成を示す斜視図である。図２において、Ｚ軸プラス方向側の絶縁プレート６００とＺ軸マイナス方向側の絶縁プレート６００とは、同様の構成を有しているため、Ｚ軸マイナス方向側の絶縁プレート６００についての説明は、省略する。
【００４７】
図４に示すように、絶縁プレート６００は、絶縁プレート本体部６１０と、絶縁プレート第一壁部６２０と、絶縁プレート第二壁部６３０と、を備えている。絶縁プレート本体部６１０は、蓄電素子１００のＺ軸プラス方向側に配置され、Ｘ軸方向に延設されるＸＹ平面に平行な矩形状かつ板状の部位である。絶縁プレート第一壁部６２０は、絶縁プレート本体部６１０のＹ軸プラス方向側の端部に配置され、かつ、Ｘ軸方向に延設される長尺状の部位である。絶縁プレート第二壁部６３０は、絶縁プレート本体部６１０のＹ軸マイナス方向側の端部からＺ軸マイナス方向側に突出し、かつ、Ｘ軸方向に延設される長尺状かつ板状の部位であり、蓄電素子１００のＹ軸マイナス方向側に配置される。
【００４８】
絶縁プレート第一壁部６２０について、さらに詳細に説明する。絶縁プレート第一壁部６２０は、Ｚ軸マイナス方向側に突出し、かつ、Ｘ軸方向に並ぶ複数の絶縁プレート突出部６２１を有している。絶縁プレート突出部６２１は、蓄電素子１００のＹ軸プラス方向側に配置される直方体形状の突出部である。
【００４９】
絶縁プレート突出部６２１は、Ｚ軸プラス方向側の面に、Ｚ軸マイナス方向に凹んだ凹部６２１ａが形成されている。凹部６２１ａは、後述するサイド部材７００のサイド部材突出部７２１が挿入される凹部である。つまり、絶縁プレート突出部６２１の凹部６２１ａにサイド部材突出部７２１が挿入されることで、絶縁プレート突出部６２１は、一部が、Ｙ軸方向において、蓄電素子１００とサイド部材突出部７２１との間に配置されることとなる。このため、絶縁プレート突出部６２１は、蓄電素子１００とサイド部材突出部７２１との間に配置される絶縁部材の一例である。この絶縁プレート突出部６２１の配置位置の詳細な説明については、後述する。
【００５０】
［４  サイド部材７００の詳細な説明］
次に、サイド部材７００の構成について、詳細に説明する。図５は、本実施の形態に係るサイド部材７００の構成を示す斜視図である。具体的には、図５の（ａ）は、図２におけるＺ軸プラス方向側のサイド部材７００を示す斜視図であり、図５の（ｂ）は、図５の（ａ）のサイド部材７００を裏側から見た場合の構成を示す斜視図である。図２において、Ｚ軸プラス方向側のサイド部材７００とＺ軸マイナス方向側のサイド部材７００とは、同様の構成を有しているため、Ｚ軸マイナス方向側のサイド部材７００についての説明は、省略する。
【００５１】
図５に示すように、サイド部材７００は、サイド部材本体部７１０と、サイド部材第一壁部７２０と、サイド部材第二壁部７３０と、サイド部材第三壁部７４０と、を備えている。
【００５２】
サイド部材本体部７１０は、絶縁プレート本体部６１０のＺ軸プラス方向側に配置され、Ｘ軸方向に延設されるＸＹ平面に平行な矩形状かつ板状の部位であり、Ｘ軸方向に延びる複数の貫通孔７１１が形成されている。サイド部材第一壁部７２０は、サイド部材本体部７１０のＹ軸プラス方向側の端部に配置される部位である。サイド部材第二壁部７３０は、サイド部材本体部７１０のＹ軸マイナス方向側の端部からＺ軸マイナス方向側に突出し、かつ、Ｘ軸方向に延設される長尺状かつ板状の部位であり、蓄電素子１００のＹ軸マイナス方向側に配置される。サイド部材第三壁部７４０は、サイド部材本体部７１０のＸ軸方向両側の端部からＺ軸マイナス方向側に突出し、かつ、Ｙ軸方向に延設される長尺状かつ板状の部位であり、エンド部材４００に対して固定される。
【００５３】
サイド部材第一壁部７２０について、さらに詳細に説明する。サイド部材第一壁部７２０は、Ｚ軸マイナス方向側に突出し、かつ、Ｘ軸方向に並ぶ複数のサイド部材突出部７２１を有している。サイド部材突出部７２１は、蓄電素子１００のＹ軸プラス方向側に配置される平板状の突出部である。上述の通り、サイド部材突出部７２１は、絶縁プレート６００の絶縁プレート突出部６２１に形成された凹部６２１ａに挿入されて、凹部６２１ａ内に配置される。このサイド部材突出部７２１の配置位置の詳細な説明については、後述する。
【００５４】
［５  絶縁プレート６００及びサイド部材７００の配置位置の説明］
次に、絶縁プレート６００及びサイド部材７００の配置位置について、詳細に説明する。図６は、本実施の形態に係る絶縁プレート６００及びサイド部材７００の配置位置を示す斜視図である。具体的には、図６の（ａ）は、複数の蓄電素子１００に絶縁プレート６００及びサイド部材７００を取り付けた場合の構成を示す斜視図であり、図６の（ｂ）は、図６の（ａ）の構成におけるＹ軸プラス方向側の面を拡大して示す拡大斜視図である。図７は、本実施の形態に係る絶縁プレート６００及びサイド部材７００の配置位置を示す平面図である。具体的には、図７は、図６の（ａ）の構成をＹ軸プラス方向から見た場合の一部の構成を拡大して示す平面図である。
【００５５】
以下では、Ｘ軸マイナス方向を第一方向とも呼び、Ｙ軸プラス方向を第二方向とも呼ぶこととする。絶縁プレート６００及びサイド部材７００が複数の蓄電素子１００に対して配置されている方向であるＺ軸プラス方向またはＺ軸マイナス方向を、第三方向とも呼ぶこととする。つまり、Ｚ軸プラス方向側の絶縁プレート６００及びサイド部材７００について説明する場合には、Ｚ軸プラス方向が第三方向であり、Ｚ軸マイナス方向側の絶縁プレート６００及びサイド部材７００について説明する場合には、Ｚ軸マイナス方向が第三方向である。このように、複数の蓄電素子１００は、第一方向に並び、かつ、第二方向側に電極端子１２０を有している。絶縁プレート６００及びサイド部材７００は、複数の蓄電素子１００の第三方向側に配置されている。
【００５６】
図６に示すように、絶縁プレート突出部６２１は、第三方向とは反対側に突出し、蓄電素子１００の第二方向側、かつ、蓄電素子１００が有する電極端子１２０のＸ軸方向側に配置されている。サイド部材突出部７２１は、第三方向とは反対側に突出し、絶縁プレート突出部６２１に形成された凹部６２１ａ内に配置されている。これにより、サイド部材突出部７２１は、蓄電素子１００の第二方向側、かつ、蓄電素子１００が有する電極端子１２０のＸ軸方向側に配置されている。これにより、絶縁プレート突出部６２１及びサイド部材突出部７２１は、蓄電素子１００を第二方向とは反対側へ向けて押圧する。絶縁プレート突出部６２１及びサイド部材突出部７２１は、必ずしも蓄電素子１００を押圧する必要はない。
【００５７】
図７に示すように、複数の蓄電素子１００のうちの一の蓄電素子１００を第一蓄電素子１０１とし、第一蓄電素子１０１の第一方向側に配置される他の蓄電素子１００を第二蓄電素子１０２とし、第一蓄電素子１０１の第一方向とは反対側に配置される別の蓄電素子１００を第三蓄電素子１０３とする。第一蓄電素子１０１が有する電極端子１２０を第一電極端子１２１とし、第二蓄電素子１０２が有する電極端子１２０を第二電極端子１２２とし、第三蓄電素子１０３が有する電極端子１２０を第三電極端子１２３とする。
【００５８】
第一電極端子１２１の第一方向側に配置される絶縁プレート突出部６２１を第一絶縁プレート突出部６２１ｂとし、第一電極端子１２１の第一方向とは反対側に配置される絶縁プレート突出部６２１を第二絶縁プレート突出部６２１ｃとする。第一電極端子１２１の第一方向側に配置されるサイド部材突出部７２１を第一サイド部材突出部７２１ａとし、第一電極端子１２１の第一方向とは反対側に配置されるサイド部材突出部７２１を第二サイド部材突出部７２１ｂとする。第一サイド部材突出部７２１ａは、第一突出部の一例であり、第二サイド部材突出部７２１ｂは、第二突出部の一例である。
【００５９】
このような構成により、第一絶縁プレート突出部６２１ｂ及び第一サイド部材突出部７２１ａは、第三方向とは反対側に突出し、第一蓄電素子１０１の第二方向側、かつ、第一蓄電素子１０１が有する第一電極端子１２１の第一方向側に配置される。第二絶縁プレート突出部６２１ｃ及び第二サイド部材突出部７２１ｂは、第三方向とは反対側に突出し、第一蓄電素子１０１の第二方向側、かつ、第一電極端子１２１の第一方向とは反対側に配置される。つまり、第一絶縁プレート突出部６２１ｂ及び第二絶縁プレート突出部６２１ｃは、第一方向において第一電極端子１２１を挟む位置まで突出して配置されている。同様に、第一サイド部材突出部７２１ａ及び第二サイド部材突出部７２１ｂは、第一方向において第一電極端子１２１を挟む位置まで突出して配置されている。
【００６０】
第一絶縁プレート突出部６２１ｂ及び第一サイド部材突出部７２１ａは、第一蓄電素子１０１及び第二蓄電素子１０２の第二方向側において、第一蓄電素子１０１及び第二蓄電素子１０２に跨って配置される。同様に、第二絶縁プレート突出部６２１ｃ及び第二サイド部材突出部７２１ｂは、第一蓄電素子１０１及び第三蓄電素子１０３の第二方向側において、第一蓄電素子１０１及び第三蓄電素子１０３に跨って配置される。つまり、第一絶縁プレート突出部６２１ｂ及び第一サイド部材突出部７２１ａは、第一電極端子１２１及び第二電極端子１２２の間に配置され、第二絶縁プレート突出部６２１ｃ及び第二サイド部材突出部７２１ｂは、第一電極端子１２１及び第三電極端子１２３の間に配置されている。
【００６１】
上記構成は、Ｚ軸プラス方向側及びＺ軸マイナス方向側の双方において、同様である。つまり、Ｚ軸プラス方向側及びＺ軸マイナス方向側の２つの第一絶縁プレート突出部６２１ｂ及び２つの第一サイド部材突出部７２１ａは、第一蓄電素子１０１及び第二蓄電素子１０２のＺ軸プラス方向側及びＺ軸マイナス方向側に配置されている。第二絶縁プレート突出部６２１ｃ及び第二サイド部材突出部７２１ｂについても、同様である。
【００６２】
［６  効果の説明］
以上のように、本実施の形態に係る蓄電装置１０によれば、第一方向に並ぶ複数の蓄電素子１００と、複数の蓄電素子１００の第三方向側に配置されるサイド部材７００と、を備えている。サイド部材７００は、第三方向とは反対側に突出し、蓄電素子１００が有する電極端子１２０の第一方向側に配置されるサイド部材突出部７２１（第一サイド部材突出部７２１ａ等）を有している。このように、サイド部材突出部７２１を、電極端子１２０の第一方向側に配置することで、サイド部材７００を電極端子１２０の第三方向側に配置することなく、蓄電素子１００の移動を規制できる。これにより、容易に、蓄電素子１００の移動を規制できる。
【００６３】
以下に、さらに詳細に説明する。蓄電素子１００は、高出力化や高エネルギー密度化等を図るために、蓄電装置１０の設計事情をあまり考慮せずに設計されることがある。高出力化を図るためには、集電体を短くして電極端子１２０に接続するのが好都合であるため、電極端子１２０は容器１１０の蓋体１１２の両端に寄ってくる傾向がある。高エネルギー密度化により電極体の面積をより大きくとるために、電極端子１２０を容器１１０の面積が小さい側の面に配置した方が好都合の場合がある。この場合、当該面に対する電極端子１２０の占有率が大きくなるため、電極端子１２０は当該面の両端に寄ってくる傾向がある。そうすると、従来のように電極端子１２０の外側（第三方向側）を保持することができなくなるため、サイド部材突出部７２１を設け、それらを電極端子１２０の第一方向側に配置することに到達した。これにより、容易に、蓄電素子１００の移動を規制できる。
【００６４】
サイド部材突出部７２１が電極端子１２０の外側（第三方向側）に配置されるような構成の場合、サイド部材突出部７２１が長すぎると電極端子１２０と干渉し、短すぎると十分に蓄電素子１００の移動を規制することができない。このため、サイド部材突出部７２１の突出寸法には、精度が求められる。一方、本実施の形態のようにサイド部材突出部７２１が電極端子１２０の第一方向側に配置される構成の場合、サイド部材突出部７２１の突出方向に障害となる部材が無い。このため、サイド部材突出部７２１の突出寸法を、必要とされる保持力や剛性等により任意に設定できる。
【００６５】
サイド部材７００は、第三方向とは反対側に突出し、蓄電素子１００が有する電極端子１２０の第一方向とは反対側に配置されるサイド部材突出部７２１（第二サイド部材突出部７２１ｂ等）を有している。このように、サイド部材突出部７２１を、電極端子１２０の第一方向とは反対側にも配置することで、電極端子１２０の第一方向の両側において、蓄電素子１００の移動を規制できる。つまり、電極端子１２０の第一方向の片側にしかサイド部材突出部７２１が配置されていないと、他方側への移動を規制することができない。この場合、振動や衝撃等により蓄電素子１００がサイド部材突出部７２１を押し上げると、蓄電素子１００の当該他方側が移動しようとして傾き気味になり、バスバー８００を捻る力が発生して、断線に至るおそれがある。このため、電極端子１２０の第一方向の両側を挟み込むことによって、バランス良く蓄電素子１００の移動が規制されるようになり、バスバー８００等の蓄電装置１０を構成する他の部分への悪影響を防止できるようになる。このように、容易に、蓄電素子１００の移動を安定的に規制できる。
【００６６】
サイド部材突出部７２１は、２つの蓄電素子１００（第一蓄電素子１０１及び第二蓄電素子１０２等）に跨って配置されている。具体的には、サイド部材突出部７２１は、２つの蓄電素子１００が有する２つの電極端子１２０の間において、２つの蓄電素子１００に跨って配置されている。このように、サイド部材突出部７２１が、２つの蓄電素子１００に跨って配置されることで、１つのサイド部材突出部７２１で２つの蓄電素子１００の移動を規制できる。これにより、容易に、２つの蓄電素子１００の移動を規制できる。
【００６７】
蓄電素子１００とサイド部材突出部７２１との間には、絶縁プレート突出部６２１の一部が配置されている。これにより、サイド部材突出部７２１が導電性の部材の場合でも、蓄電素子１００とサイド部材突出部７２１との絶縁性を確保できる。このように、絶縁性を確保した状態で、容易に、蓄電素子１００の移動を規制できる。
【００６８】
以下に、さらに詳細に説明する。従来のようにサイド部材突出部７２１が電極端子１２０の外側に配置される構成の場合、サイド部材突出部７２１が電極端子１２０と干渉することはあまりないため、サイド部材突出部７２１と電極端子１２０との絶縁はあまり意識されていなかった。しかし、本実施の形態では、サイド部材突出部７２１が２つの電極端子１２０の間に配置される。そのため、組立時にサイド部材突出部７２１が電極端子１２０と接触して短絡するおそれについて考慮する必要があった。このため、蓄電素子１００とサイド部材突出部７２１との間に絶縁プレート突出部６２１の一部を配置する。これにより、組立時にサイド部材突出部７２１が電極端子１２０と接触して短絡するのを抑制できるため、組立作業をより安全に行うことができる。
【００６９】
サイド部材７００は金属製の部材であり、絶縁プレート突出部６２１は樹脂製の部材であるため、サイド部材７００にサイド部材突出部７２１を形成して、強度の高いサイド部材突出部７２１を形成するとともに、比較的柔らかい絶縁プレート突出部６２１で蓄電素子１００を保護できる。これにより、高い強度かつ蓄電素子１００を保護した状態で、容易に、蓄電素子１００の移動を規制できる。
【００７０】
絶縁プレート突出部６２１は、複数の蓄電素子１００とサイド部材７００との間に配置される絶縁プレート６００に設けられている。つまり、複数の蓄電素子１００とサイド部材７００との間の絶縁性を確保するために、複数の蓄電素子１００とサイド部材７００との間に絶縁プレート６００を配置し、絶縁プレート６００に、絶縁プレート突出部６２１を形成する。これにより、絶縁プレート突出部６２１を容易に形成できるため、容易に、蓄電素子１００とサイド部材突出部７２１との間の絶縁性を確保しつつ、蓄電素子１００の移動を規制できる。絶縁プレート６００に絶縁プレート突出部６２１が設けられていることで、絶縁プレート６００において、絶縁プレート突出部６２１とその他の部分とが連続しており、２つの部分の間に隙間が生じていないため、絶縁性を向上できる。
【００７１】
絶縁プレート突出部６２１が絶縁プレート６００に設けられていることにより、これらを一体的に取り扱うことができる。組立作業時に、予め絶縁プレート６００を複数の蓄電素子１００に取り付けた後に、サイド部材７００を取り付けてもよいし、予めサイド部材７００と絶縁プレート６００とを組み立てた後に、複数の蓄電素子１００に取り付けてもよい。いずれの方法でも、組立作業性が良く、組立時にサイド部材突出部７２１が電極端子１２０と接触して短絡するのを抑制できるため、組立作業をより安全に行うことができる。
【００７２】
サイド部材突出部７２１は、絶縁プレート突出部６２１に形成された凹部６２１ａ内に配置されている。このように、サイド部材突出部７２１を絶縁プレート突出部６２１の凹部６２１ａ内に配置することで、サイド部材突出部７２１の移動を規制できる。これにより、蓄電素子１００の移動を規制するサイド部材突出部７２１が、移動を規制されることで、蓄電素子１００の移動をより規制できる。電極端子１２０同士の間に絶縁プレート突出部６２１を配置し、その凹部６２１ａ内にサイド部材突出部７２１を配置することで、サイド部材突出部７２１と電極端子１２０との間に形成される隙間が小さくなるため、蓄電素子１００の移動をより規制できる。絶縁プレート突出部６２１を挟む２つの電極端子１２０の間の絶縁性を確保することもできる。
【００７３】
サイド部材突出部７２１が、絶縁プレート突出部６２１の凹部６２１ａ内に配置されるため、予めサイド部材７００と絶縁プレート６００とを組み立てた後に複数の蓄電素子１００に取り付ける場合等において、絶縁プレート突出部６２１がサイド部材突出部７２１からずれて配置されることを抑制できる。これにより、組立作業をより安全に行うことができる。
【００７４】
サイド部材突出部７２１は導電性の部材であるため、サイド部材突出部７２１を絶縁プレート突出部６２１の凹部６２１ａ内に配置することで、サイド部材突出部７２１の周囲における絶縁性を向上できる。サイド部材突出部７２１と電極端子１２０またはバスバー８００との間の絶縁性を向上できる。
【００７５】
以下に、さらに詳細に説明する。従来のようにサイド部材突出部７２１が電極端子１２０の外側に配置される構成の場合、サイド部材突出部７２１は、電極端子１２０と交差しない範囲で配置されるため、バスバー８００との短絡についてはあまり意識されていなかった。しかし、本実施の形態では、サイド部材突出部７２１は、２つの電極端子１２０の間に配置される。そのため、バスバー８００の配置位置の真下にサイド部材７００が配置されることとなり、バスバー８００とサイド部材７００とが接触して短絡するおそれについて考慮する必要がある。これに対し、サイド部材突出部７２１が、絶縁プレート突出部６２１の凹部６２１ａ内に配置されていることで、サイド部材突出部７２１の周囲が絶縁部材で覆われる。これにより、サイド部材突出部７２１がバスバー８００と接触して短絡するのを抑制できるため、組立作業をより安全に行うことができる。
【００７６】
［７  変形例の説明］
以上、本実施の形態に係る蓄電装置１０について説明したが、本発明は、上記実施の形態には限定されない。つまり、今回開示された実施の形態は、全ての点で例示であって制限的なものではなく、本発明の範囲は請求の範囲によって示され、請求の範囲と均等の意味及び範囲内での全ての変更が含まれる。
【００７７】
上記実施の形態では、サイド部材７００は、金属製の板状のサイドプレートであこととした。しかし、サイド部材７００は、樹脂製等の絶縁部材であってもよいし、ブロック状または棒状の部材等であることにしてもよい。
【００７８】
上記実施の形態では、サイド部材７００のサイド部材突出部７２１は、隣り合う蓄電素子１００が有する２つの電極端子１２０の間に配置されていることとした。しかし、電極端子１２０の配置位置によっては、サイド部材突出部７２１は、２つの電極端子１２０の間には配置されていないことにしてもよい。絶縁プレート６００の絶縁プレート突出部６２１についても同様である。
【００７９】
上記実施の形態では、２つのサイド部材突出部７２１が、電極端子１２０の両側を挟む位置に配置されていることとした。しかし、１つのサイド部材突出部７２１が、電極端子１２０の片側に配置されている構成でもよい。絶縁プレート突出部６２１についても同様である。
【００８０】
上記実施の形態では、サイド部材突出部７２１は、２つの蓄電素子１００に跨って配置されていることとした。しかし、サイド部材突出部７２１は、２つの蓄電素子１００には跨らずに、１つの蓄電素子１００に配置されてもよい。絶縁プレート突出部６２１についても同様である。
【００８１】
上記実施の形態では、絶縁プレート６００が、蓄電素子１００とサイド部材突出部７２１との間に配置される絶縁部材として、凹部６２１ａが形成された絶縁プレート突出部６２１を有していることとした。しかし、絶縁プレート突出部６２１の形状は特に限定されず、絶縁プレート突出部６２１は、蓄電素子１００とサイド部材突出部７２１との間に配置される板状またはシート状等の突出部であってもよい。当該絶縁部材は、絶縁プレート突出部６２１ではなく、絶縁プレート６００と別体で形成された絶縁部材であることにしてもよい。
【００８２】
上記実施の形態では、蓄電装置１０は、複数の蓄電素子１００とサイド部材７００との間に、絶縁プレート６００を備えていることとした。しかし、蓄電素子１００とサイド部材７００との絶縁性が確保できている、または、当該絶縁性を確保する必要がない場合には、蓄電装置１０は、絶縁プレート６００を備えていないことにしてもよい。
【００８３】
上記実施の形態では、サイド部材７００が有する全てのサイド部材突出部７２１が、上記の構成を有していることとしたが、いずれかのサイド部材突出部７２１が上記と異なる構成を有してもよい。絶縁プレート６００が有する絶縁プレート突出部６２１についても同様である。
【００８４】
上記実施の形態では、Ｚ軸プラス方向側及びＺ軸マイナス方向側の双方のサイド部材７００が上記の構成を有していることとしたが、Ｚ軸プラス方向側またはＺ軸マイナス方向側のサイド部材７００が上記と異なる構成を有してもよい。絶縁プレート６００についても同様である。
【００８５】
上記実施の形態及びその変形例が備える各構成要素を任意に組み合わせて構築される形態も、本発明の範囲内に含まれる。
【００８６】
本発明は、このような蓄電装置１０として実現できるだけでなく、蓄電装置１０が備えるサイド部材７００及び絶縁プレート６００としても実現できる。
【産業上の利用可能性】
【００８７】
本発明は、リチウムイオン二次電池などの蓄電素子を備えた蓄電装置等に適用できる。
【符号の説明】
【００８８】
１０  蓄電装置
１００  蓄電素子
１０１  第一蓄電素子
１０２  第二蓄電素子
１０３  第三蓄電素子
１２０  電極端子
１２１  第一電極端子
１２２  第二電極端子
１２３  第三電極端子
６００  絶縁プレート
６２１  絶縁プレート突出部
６２１ａ  凹部
６２１ｂ  第一絶縁プレート突出部
６２１ｃ  第二絶縁プレート突出部
７００  サイド部材
７２１  サイド部材突出部
７２１ａ  第一サイド部材突出部
７２１ｂ  第二サイド部材突出部
【図１】
2020137411.tif 000003
【図２】
2020137411.tif 000004
【図３】
2020137411.tif 000005
【図４】
2020137411.tif 000006
【図５】
2020137411.tif 000007
【図６】
2020137411.tif 000008
【図７】
2020137411.tif 000009
【国際調査報告】
2020137411.tif 000010
2020137411.tif 000011
2020137411.tif 000012
2020137411.tif 000013
2020137411.tif 000014
2020137411.tif 000015